(57)【要約】【課題】スロット内で繰り返し送信ができようされた場合に、効率的な周波数ホッピングを行うこと。【解決手段】スロット間周波数ホッピングに関する設定がＲＲＣシグナリングで行われ、かつ、１スロット内での複数繰り返し送信に関する上位層パラメータが設定された場合、現在のトランスポートブロックの送信回数に基づいて、周波数ホッピングを適用する。一方、スロット間周波数ホッピングに関する設定がＲＲＣシグナリングで行われ、かつ、１スロット内での複数繰り返し送信に関する上位層パラメータが設定されない場合、現在のスロット番号に基づいて、周波数ホッピングを適用する。【選択図】図７
2020108103.tif 000002
【特許請求の範囲】
【請求項１】
基地局装置と通信を行う端末装置であって、
周波数ホッピングに関する上位層パラメータと、１スロット内での複数のトランスポートブロックの送信に関する上位層パラメータを設定する上位層処理部と、
上位層処理部からの設定に基づいて送信を行う送信部を備え、
前記送信部は、前記周波数ホッピングに関する上位層パラメータとして、スロット間周波数ホッピングに関する設定がされ、かつ、前記１スロット内での複数のトランスポートブロックの送信に関する上位層パラメータが設定された場合、
現在のトランスポートブロックの送信回数に基づいて、周波数ホッピングを適用する端末装置。
【請求項２】
前記複数のトランスポートブロックは、リダンダンシーバージョンが異なる、同一の情報ビット系列から生成される請求項１記載の端末装置。
【請求項３】
前記送信部は、前記現在のトランスポートブロックの送信回数および無線フレーム内の現在のスロット番号に基づいて周波数ホッピングを適用する請求項１記載の端末装置。
【請求項４】
端末装置と通信を行う基地局装置であって、
周波数ホッピングに関する上位層パラメータと、１スロット内での複数のトランスポートブロックの送信に関する上位層パラメータを設定する上位層処理部と、
上位層処理部からの設定に基づいて、前記端末装置が送信する信号を受信する受信部を備え、
前記受信部は、前記周波数ホッピングに関する上位層パラメータとして、スロット間周波数ホッピングに関する設定がされ、かつ、前記１スロット内での複数のトランスポートブロックの送信に関する上位層パラメータが設定された場合、
前記端末装置の現在のトランスポートブロックの送信回数に基づいて、周波数ホッピングが適用されたとして受信を行う基地局装置。
【請求項５】
前記複数のトランスポートブロックは、リダンダンシーバージョンが異なる、同一の情報ビット系列から生成される請求項４記載の基地局装置。
【請求項６】
前記受信部は、前記現在のトランスポートブロックの送信回数および無線フレーム内の現在のスロット番号に基づいて周波数ホッピングを適用する請求項４記載の基地局装置。
【発明の詳細な説明】
【技術分野】
【０００１】
本発明は、端末装置、基地局装置およびその通信方法に関する。
【背景技術】
【０００２】
３ＧＰＰ（Third Generation Partnership Project）で仕様化されているＬＴＥ（Long
Term Evolution）の通信システムでは、ＤＣＩ(Downlink Control Information、グラント)を基地局装置から端末装置に通知し、通知されたＤＣＩによってデータ送信を行うダ
イナミックスケジューリングが仕様化されている。ダイナミックスケジューリングでは、１つのＤＣＩを受信した場合、1回の伝送が行われる。一方、ダイナミックスケジューリ
ングに加えて、周期的に無線リソースを割り当てるＳＰＳ(Semi-Persistent Scheduling)が仕様化されている。ＳＰＳでは、１つのＤＣＩを受信した場合においても、周期的な無線リソースの割り当てが行われるため、複数回のデータ伝送を行うことができる。
【０００３】
現在３ＧＰＰでは、ｅＭＢＢ（enhanced Mobile Broad Band）、ＵＲＬＬＣ（Ultra-Reliable and Low Latency Communications）、ｍＭＴＣ（massive Machine-Type Communications）をユースケースとし、第５世代移動通信(New Radio、ＮＲ)の標準化を行ってい
る。ＮＲ  Ｒｅｌ−１５ではＬＴＥのＳＰＳを拡張したＣＳ（Configured scheduling）
が仕様化されている。ＣＳでは、スロットを繰り返した伝送が可能であり、伝送の信頼度の向上が可能となっている。
【０００４】
Ｒｅｌ−１６では、さらなる高信頼性（パケット受信成功率９９．９９９９％）や低遅延性（０．５ｍｓから１ｍｓの遅延）を達成するため、３ＧＰＰで行われている。（非特許文献１、非特許文献２）
【先行技術文献】
【非特許文献】
【０００５】
【非特許文献１】Huawei, HiSilicon, Nokia, Nokia Shanghai Bell, “SID on Physical Layer Enhancements for NR URLLC”, RP-181477.
【非特許文献２】Huawei, HiSilicon, “Enhanced UL configured grant transmissions”, R1-1808100.
【発明の概要】
【発明が解決しようとする課題】
【０００６】
Ｒｅｌ−１６では、信頼性や低遅延性を向上させることになっており、1スロット内で
データ信号（ＰＵＳＣＨ）を繰り返し送信することが検討されている。一方、Ｒｅｌ．１５では周波数ホッピングの適用が仕様化されている。しかしながら、1スロット内でＰＵ
ＳＣＨの繰り返し時の周波数ホッピングについては検討されていない。
【０００７】
本発明はこのような事情を鑑みてなされたものであり、その目的は、1スロット内での
複数ＰＵＳＣＨ送信における周波数ホッピングの効率的な適用方法を提供することにある。
【課題を解決するための手段】
【０００８】
上述した課題を解決するために本発明に係る基地局装置、端末装置および通信方法の構成は、次の通りである。
【０００９】
（１）本発明の一態様は、基地局装置と通信を行う端末装置であって、周波数ホッピン
グに関する上位層パラメータと、１スロット内での複数のトランスポートブロックの送信に関する上位層パラメータを設定する上位層処理部と、上位層処理部からの設定に基づいて送信を行う送信部を備え、前記送信部は、前記周波数ホッピングに関する上位層パラメータとして、スロット間周波数ホッピングに関する設定がされ、かつ、前記１スロット内での複数のトランスポートブロックの送信に関する上位層パラメータが設定された場合、現在のトランスポートブロックの送信回数に基づいて、周波数ホッピングを適用する。
（２）本発明の一態様は、前記複数のトランスポートブロックは、リダンダンシーバージョンが異なる、同一の情報ビット系列から生成される。
（３）本発明の一態様は、記送信部は、前記現在のトランスポートブロックの送信回数および無線フレーム内の現在のスロット番号に基づいて周波数ホッピングを適用する。
（４）本発明の一態様は、端末装置と通信を行う基地局装置であって、周波数ホッピングに関する上位層パラメータと、１スロット内での複数のトランスポートブロックの送信に関する上位層パラメータを設定する上位層処理部と、上位層処理部からの設定に基づいて、前記端末装置が送信する信号を受信する受信部を備え、前記受信部は、前記周波数ホッピングに関する上位層パラメータとして、スロット間周波数ホッピングに関する設定がされ、かつ、前記１スロット内での複数のトランスポートブロックの送信に関する上位層パラメータが設定された場合、前記端末装置の現在のトランスポートブロックの送信回数に基づいて、周波数ホッピングが適用されたとして受信を行う。
（５）本発明の一態様は、前記複数のトランスポートブロックは、リダンダンシーバージョンが異なる、同一の情報ビット系列から生成される。
（６）本発明の一態様は、前記受信部は、前記現在のトランスポートブロックの送信回数および無線フレーム内の現在のスロット番号に基づいて周波数ホッピングを適用する。
【発明の効果】
【００１０】
本発明の一又は複数の態様によれば、基地局装置及び端末装置は、1スロット内での複
数ＰＵＳＣＨ送信において、効率的に周波数ホッピングを適用することができる。
【図面の簡単な説明】
【００１１】
【図１】本実施形態に係る通信システム１の構成例を示す図である。
【図２】本実施形態に係る基地局装置の構成例を示す図である。
【図３】本実施形態に係る端末装置の構成例を示す図である。
【図４】本実施形態に係る1スロット内での複数トランスポートブロック送信を示す図である。
【図５】本実施形態に係る1スロット内での複数トランスポートブロック送信を行う場合、かつスロット内周波数ホッピングが設定された場合のスロット構成の一例を示す図である。
【図６】本実施形態に係る1スロット内での複数トランスポートブロック送信を行う場合、かつスロット間周波数ホッピングが設定された場合のスロット構成の一例を示す図である。
【図７】本実施形態に係る1スロット内での複数トランスポートブロック送信を行う場合、かつスロット間周波数ホッピングが設定された場合のスロット構成の別例を示す図である。
【図８】本実施形態に係る1スロット内での複数トランスポートブロック送信を行う場合、かつスロット内周波数ホッピングが設定された場合のスロット構成の別例を示す図である。
【発明を実施するための形態】
【００１２】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ）および端末装置（端末、移動端末、ＵＥ:User Equipment）を備える。該通信システムにおいて、下りリンクの場合、基地局装置は送信装置（送信点、送信アンテナ群、送信アンテナポート群、ＴＲＰ(Tx/Rx Point)）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device、sidelink）通信にも適用可能である。その場合、送信装置も受信装置も共に端末装置になる。
【００１３】
前記通信システムは、人間が介入する端末装置と基地局装置間のデータ通信に限定されるものに限定されない。つまり、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも、適用することができる。この場合、端末装置がＭＴＣ端末となる。前記通信システムは、上りリンク及び下りリンクにおいて、ＣＰ−ＯＦＤＭ（Cyclic Prefix - Orthogonal Frequency Division Multiplexing）等のマルチキャリア伝送方式を用いることができる。前記通信システムは、上りリンクにおいて、Transform precoderに関する上位層パラメータが設定された場合、Transform precodingを適用、つまりＤＦＴを適用するＤＦＴＳ−ＯＦＤＭ（Discrete Fourier Transform Spread - Orthogonal Frequency Division Multiplexing、SC-FDMAとも称される）等の伝送方式を用いる。なお、以下では、上りリンク及び下りリンクにおいて、ＯＦＤＭ伝送方式を用いた場合で説明するが、これに限らず、他の伝送方式を適用することができる。
【００１４】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００１５】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１６】
（第１の実施形態）
図１は、本実施形態に係る通信システム１の構成例を示す図である。本実施形態における通信システム１は、基地局装置１０、端末装置２０を備える。カバレッジ１０ａは、基地局装置１０が端末装置２０と接続（通信）可能な範囲（通信エリア）である（セルとも呼ぶ）。なお、基地局装置１０は、カバレッジ１０ａにおいて、複数の端末装置２０を収容することができる。
【００１７】
図１において、上りリンク無線通信ｒ３０は、少なくとも以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
【００１８】
ＰＵＣＣＨは、上りリンク制御情報（Uplink Control Information: UCI）を送信する
ために用いられる物理チャネルである。上りリンク制御情報は、下りリンクデータに対する肯定応答（positive acknowledgement: ACK）／否定応答（Negative acknowledgement:
NACK）を含む。ここで下りリンクデータとは、Downlink transport block, Medium Access Control Protocol Data Unit: MAC PDU, Downlink-Shared Channel: DL-SCH, Physical Downlink Shared Channel: PDSCH等を示す。ＡＣＫ／ＮＡＣＫは、ＨＡＲＱ−ＡＣＫ（Hybrid Automatic Repeat request ACKnowledgement）、ＨＡＲＱフィードバック、ＨＡＲＱ応答、または、ＨＡＲＱ制御情報、送達確認を示す信号とも称される。
【００１９】
ＮＲは、少なくともＰＵＣＣＨフォーマット０、ＰＵＣＣＨフォーマット１、ＰＵＣＣＨフォーマット２、ＰＵＣＣＨフォーマット３、ＰＵＣＣＨフォーマット４という５つのフォーマットをサポートする。ＰＵＣＣＨフォーマット０およびＰＵＣＣＨフォーマット２は、１または２のＯＦＤＭシンボルから構成され、それ以外のＰＵＣＣＨは４〜１４のＯＦＤＭシンボルから構成される。またＰＵＣＣＨフォーマット０およびＰＵＣＣＨフォーマット１の帯域幅１２サブキャリアから構成される。また、ＰＵＣＣＨフォーマット０では、１２サブキャリアかつ１ＯＦＤＭシンボル（あるいは２ＯＦＤＭシンボル）のリソースエレメントで１ビット（あるいは２ビット）のＡＣＫ／ＮＡＣＫが送信される。
【００２０】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、初期送信のためのＵＬ−ＳＣＨリソースを要求することを示す。
【００２１】
上りリンク制御情報は、下りリンクのチャネル状態情報（Channel State Information:
CSI）を含む。前記下りリンクのチャネル状態情報は、好適な空間多重数（レイヤ数）を示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。
【００２２】
ＮＲでは、上位層パラメータＲＩ制限を設定することができる。ＲＩ制限には複数の設定パラメータが存在し、１つはタイプ１シングルパネルＲＩ制限であり、8ビットで構成
される。ビットマップパラメータであるタイプ１シングルパネルＲＩ制限は、ビット系列ｒ７、…ｒ２、ｒ１を形成する。ここでｒ７、はＭＳＢ（Most Significant Bit）であり、ｒ０、はＬＳＢ（Least Significant Bit）である。ｒiがゼロの時（ｉは０、１、…７）、i＋１レイヤに関連付いたプリコーダに対応するＰＭＩとＲＩレポーティングは許容されない。ＲＩ制限にはタイプ１シングルパネルＲＩ制限の他にタイプ１マルチパネルＲＩ制限があり、4ビットで構成される。ビットマップパラメータであるタイプ１マルチパネルＲＩ制限は、ビット系列ｒ４、ｒ３、ｒ２、ｒ１を形成する。ここでｒ４、はＭＳＢであり、ｒ０、はＬＳＢである。ｒiがゼロの時（ｉは０、１、２、３）、i＋１レイヤに関連付いたプリコーダに対応するＰＭＩとＲＩレポーティングは許容されない。
【００２３】
前記ＣＱＩは、所定の帯域における好適な変調方式（例えば、ＱＰＳＫ、１６ＱＡＭ、６４ＱＡＭ、２５６ＱＡＭＡＭなど）、符号化率（coding rate）、および周波数利用効
率を指し示すインデックス（ＣＱＩインデックス）を用いることができる。端末装置は、ＰＤＳＣＨのトランスポートブロックがブロック誤り確率（ＢＬＥＲ）＝０．１を超えずに受信可能であろうＣＱＩインデックスをＣＱＩテーブルから選択する。ただし上位層シグナリングによって所定のＣＱＩテーブルが設定された場合には、ＢＬＥＲ＝０．００００１を超えずに受信可能であろうＣＱＩインデックスをＣＱＩテーブルから選択する。
【００２４】
ＰＵＳＣＨは、上りリンクデータ（Uplink Transport Block、Uplink-Shared Channel:
UL-SCH）を送信するために用いられる物理チャネルであり、伝送方式としては、ＣＰ−
ＯＦＤＭ、もしくはＤＦＴ−Ｓ−ＯＦＤＭが適用される。ＰＵＳＣＨは、前記上りリンクデータと共に、下りリンクデータに対するＨＡＲＱ−ＡＣＫおよび／またはチャネル状態
情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００２５】
ＰＵＳＣＨは、無線リソース制御（Radio Resource Control: RRC）シグナリングを送
信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリングであってもよい。基地局装置から送信されるＲＲＣシグナリングは、ある端末装置に対して専用のシグナリング（dedicated signalingとも称する）であってもよい。すなわち
、ユーザ装置スペシフィック（ユーザ装置固有）な情報は、ある端末装置に対して専用のシグナリングを用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００２６】
ＰＵＳＣＨは、ＭＡＣ  ＣＥ（Medium Access Control Element）を送信するために用
いられる。ＭＡＣ  ＣＥは、媒体アクセス制御層（Medium Access Control layer）にお
いて処理（送信）される情報／信号である。例えば、パワーヘッドルームは、ＭＡＣ  ＣＥに含まれ、ＰＵＳＣＨを経由して報告されてもよい。すなわち、ＭＡＣ  ＣＥのフィールドが、パワーヘッドルームのレベルを示すために用いられる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００２７】
ＰＲＡＣＨは、ランダムアクセスに用いるプリアンブルを送信するために用いられる。ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージ
ャ、上りリンク送信に対する同期（タイミング調整）、およびＰＵＳＣＨ（ＵＬ−ＳＣＨ）リソースの要求を示すために用いられる。
【００２８】
上りリンクの無線通信では、上りリンク物理信号として上りリンク参照信号（Uplink Reference Signal: UL RS）が用いられる。上りリンク参照信号には、復調用参照信号（Demodulation Reference Signal: DMRS）、サウンディング参照信号（Sounding Reference Signal: SRS）、位相追従信号（Phase Tracking Reference Signal: PTRS）等が含まれる。ＤＭＲＳは、物理上りリンク共有チャネル／物理上りリンク制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。
【００２９】
ＳＲＳは、物理上りリンク共有チャネル／物理上りリンク制御チャネルの送信に関連しない。基地局装置１０は、上りリンクのチャネル状態を測定（CSI Measurement）するた
めにＳＲＳを使用する。
【００３０】
ＰＴＲＳは、物理上りリンク共有チャネル／物理上りリンク制御チャネルの送信に関連する。基地局装置１０は、位相追従のためにＳＲＳを使用する。
【００３１】
図１において、下りリンクｒ３１の無線通信では、少なくとも以下の下りリンク物理チャネルが用いられる。下りリンク物理チャネルは、上位層から出力された情報を送信するために使用される。
・物理報知チャネル（ＰＢＣＨ）
・物理下りリンク制御チャネル（ＰＤＣＣＨ）
・物理下りリンク共有チャネル（ＰＤＳＣＨ）
【００３２】
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＭＩＢは、下りリンク送信帯域幅設定、システムフレーム番号（ＳＦＮ：System Frame number）を含む。ＭＩＢは、ＰＢＣＨが送
信されるスロットの番号、サブフレームの番号、および、無線フレームの番号の少なくとも一部を指示する情報を含んでもよい。
【００３３】
ＰＤＣＣＨは、下りリンク制御情報（Downlink Control Information: DCI）を送信す
るために用いられる。下りリンク制御情報は、用途に基づいた複数のフォーマット（ＤＣＩフォーマットとも称する）が定義される。１つのＤＣＩフォーマットを構成するＤＣＩの種類やビット数に基づいて、ＤＣＩフォーマットは定義されてもよい。各フォーマットは、用途に応じて使われる。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント）とも称する。上りリンクデータ送信のためのＤＣＩフォーマットは、上りリンクグラント（または、上りリンクアサインメント）とも称する。
【００３４】
１つの下りリンクアサインメントは、１つのサービングセル内の１つのＰＤＳＣＨのスケジューリングに用いられる。下りリンクグラントは、該下りリンクグラントが送信されたスロットと同じスロット内のＰＤＳＣＨのスケジューリングのために少なくとも用いられてもよい。下りリンクアサインメントには、ＰＤＳＣＨのための周波数領域リソース割り当て、時間領域リソース割り当て、ＰＤＳＣＨに対するＭＣＳ（Modulation and Coding Scheme）、初期送信または再送信を指示するＮＤＩ（NEW Data Indicator）、下りリンクにおけるＨＡＲＱプロセス番号を示す情報、誤り訂正符号化時にコードワードに加えられた冗長性の量を示すＲｅｄｕｄａｎｃｙ  ｖｅｒｓｉｏｎなどの下りリンク制御情報が含まれる。コードワードは、誤り訂正符号化後のデータである。下りリンクアサインメントはＰＵＣＣＨに対する送信電力制御（ＴＰＣ：Transmission Power Control）コマンド、ＰＵＳＣＨに対するＴＰＣコマンドを含めてもよい。上りリンクグラントは、ＰＵＳＣＨを繰り返し送信する回数を示すＲｅｐｅｔｉｔｏｎ  ｎｕｍｂｅｒを含めてもよい。なお、各下りリンクデータ送信のためのＤＣＩフォーマットには、上記情報のうち、その用途のために必要な情報（フィールド）が含まれる。
【００３５】
１つの上りリンクグラントは、１つのサービングセル内の１つのＰＵＳＣＨのスケジューリングを端末装置に通知するために用いられる。上りリンクグラントは、ＰＵＳＣＨを送信するためのリソースブロック割り当てに関する情報（リソースブロック割り当ておよびホッピングリソース割り当て）、時間領域リソース割り当て、ＰＵＳＣＨのＭＣＳに関する情報（ＭＣＳ／Ｒｅｄｕｎｄａｎｃｙ  ｖｅｒｓｉｏｎ）、ＤＭＲＳポートに関する情報、ＰＵＳＣＨの再送に関する情報、ＰＵＳＣＨに対するＴＰＣコマンド、下りリンクのチャネル状態情報（Channel State Information: CSI）要求（CSI request）、など上りリンク制御情報を含む。上りリンクグラントは、上りリンクにおけるＨＡＲＱプロセス番号を示す情報、リダンダンシーバージョンを示す情報、ＰＵＣＣＨに対する送信電力制御（ＴＰＣ：Transmission Power Control）コマンド、ＰＵＳＣＨに対するＴＰＣコマンドを含めてもよい。なお、各上りリンクデータ送信のためのＤＣＩフォーマットには、上記情報のうち、その用途のために必要な情報（フィールド）が含まれる。
【００３６】
ＤＭＲＳシンボルを送信するＯＦＤＭシンボル番号（ポジション）は、もしイントラ周波数ホッピングが適用されず、ＰＵＳＣＨマッピングタイプＡの場合、スロットの初めのＯＦＤＭシンボルとそのスロットでスケジュールされたＰＵＳＣＨリソースの最後のＯＦＤＭシンボルの間のシグナリングされた期間によって与えられる。イントラ周波数ホッピングが適用されず、ＰＵＳＣＨマッピングタイプＢの場合、スケジュールされたＰＵＳＣＨリソース期間によって与えられる。イントラ周波数ホッピングが適用される場合、ホップあたりの期間で与えられる。ＰＵＳＣＨマッピングタイプＡに関して、先頭のＤＭＲＳのポジションを示す上位層パラメータが２である場合のみ、追加のＤＭＲＳ数を示す上位層パラメータが３の場合がサポートされる。またＰＵＳＣＨマッピングタイプＡに関して、４シンボル期間は、先頭のＤＭＲＳのポジションを示す上位層パラメータが２である場合のみ適用可能である。
【００３７】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を用いてスクランブル（排他的論理和演算、マスクとも呼ぶ）される。パリティビットは、Ｃ−ＲＮＴＩ（Cell-Radio Network Temporary Identifier）、ＣＳ（Configured Scheduling）−ＲＮＴＩ、Ｔｅｍｐｏｒａｒｙ  Ｃ−ＲＮＴＩ、Ｐ（Paging）−ＲＮＴＩ、ＳＩ（System Information）−ＲＮＴＩ、またはＲＡ（Random Access）−ＲＮＴＩ、ＳＰ−ＣＳＩ（Semi-Persistent Channel State-Information）−ＲＮＴＩ、ＭＣＳ−Ｃ−ＲＮＴＩでスクランブルされる。Ｃ−ＲＮＴＩおよびＣＳ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＣＳ−ＲＮＴＩは、ＰＤＳＣＨまたはＰＵＳＣＨのリソースを周期的に割り当てるために用いられる。ここでＣＳ−ＲＮＴＩでスクランブリングされたＰＤＣＣＨ（ＤＣＩフォーマット）は、ＣＳタイプ２をアクティベートあるいはデアクティベートするために用いられる。一方、ＣＳタイプ１ではＣＳ−ＲＮＴＩでスクランブリングされたＰＤＣＣＨに含まれる制御情報（ＭＣＳや無線リソース割当等）は、ＣＳに関する上位層パラメータに含め、該上位層パラメータによってＣＳのアクティベート（設定）を行う。Ｐ−ＲＮＴＩは、ページングメッセージ(Paging Channel: PCH)を送信するために用いられる。ＳＩ−ＲＮＴＩは、ＳＩＢを送信するために用いられる。ＲＡ−ＲＮＴＩは、ランダムアクセスレスポンス(ランダムアクセスプロシジャーにおけるメッセージ２)を送信するために用いられる。ＳＰ−ＣＳＩ−ＲＮＴＩは、準静的なＣＳＩレポーティングのために用いられる。ＭＣＳ−Ｃ−ＲＮＴＩは、低いスペクトル効率のＭＣＳテーブルを選択する際に用いられる。
【００３８】
ＰＤＳＣＨは、下りリンクデータ（下りリンクトランスポートブロック、DL-SCH）を送信するために用いられる。ＰＤＳＣＨは、システムインフォメーションメッセージ（System Information Block: SIBとも称する。）を送信するために用いられる。ＳＩＢの一部又は全部は、ＲＲＣメッセージに含めることができる。
【００３９】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通な情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置スペシフィック（ユーザ装置固有）な情報は、ある端末装置に対して専用のメッセージを使用して送信される。
【００４０】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣＨは、マルチキャストデータ（Multicast Channel: MCH）を送信するために用いられる。
【００４１】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４２】
同期信号は、端末装置が、下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＤＳＣＨ、ＰＤＣＣＨを復調するために用いられる。下りリンク参照信号は、端末装置が、下りリンクのチャネル状態の測定（ＣＳＩ  ｍｅａｓｕｒｅｍｅｎｔ）するために用いることもできる。
【００４３】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００４４】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００４５】
図２は、本実施形態に係る基地局装置１０の構成の概略ブロック図である。基地局装置１０は、上位層処理部（上位層処理ステップ）１０２、制御部（制御ステップ）１０４、送信部（送信ステップ）１０６、送信アンテナ１０８、受信アンテナ１１０、受信部（受信ステップ）１１２を含んで構成される。送信部１０６は、上位層処理部１０２から入力される論理チャネルに応じて、物理下りリンクチャネルを生成する。送信部１０６は、符号化部（符号化ステップ）１０６０、変調部（変調ステップ）１０６２、下りリンク制御信号生成部（下りリンク制御信号生成ステップ）１０６４、下りリンク参照信号生成部（下りリンク参照信号生成ステップ）１０６６、多重部（多重ステップ）１０６８、および無線送信部（無線送信ステップ）１０７０を含んで構成される。受信部１１２は、物理上りリンクチャネルを検出し（復調、復号など）、その内容を上位層処理部１０２に入力する。受信部１１２は、無線受信部（無線受信ステップ）１１２０、伝搬路推定部（伝搬路推定ステップ）１１２２、多重分離部（多重分離ステップ）１１２４、等化部（等化ステップ）１１２６、復調部（復調ステップ）１１２８、復号部（復号ステップ）１１３０を含んで構成される。
【００４６】
上位層処理部１０２は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０２は、送信部１０６および受信部１１２の制御を行なうために必要な情報を生成し、制御部１０４に出力する。上位
層処理部１０２は、下りリンクデータ（DL-SCHなど）、システム情報(MIB, SIB)などを送信部１０６に出力する。なお、ＤＭＲＳ構成情報はＲＲＣ等の上位レイヤによる通知ではなく、システム情報（ＭＩＢあるいはＳＩＢ）によって端末装置に通知してもよい。
【００４７】
上位層処理部１０２は、ブロードキャストするシステム情報（MIB、又はSIBの一部）を生成、又は上位ノードから取得する。上位層処理部１０２は、ＢＣＨ／ＤＬ−ＳＣＨとして、前記ブロードキャストするシステム情報を送信部１０６に出力する。前記ＭＩＢは、送信部１０６において、ＰＢＣＨに配置される。前記ＳＩＢは、送信部１０６において、ＰＤＳＣＨに配置される。上位層処理部１０２は、端末装置固有のシステム情報(SIB)を
生成し、又は上位の―度から取得する。該ＳＩＢは、送信部１０６において、ＰＤＳＣＨに配置される。
【００４８】
上位層処理部１０２は、各端末装置のための各種ＲＮＴＩを設定する。前記ＲＮＴＩは、ＰＤＣＣＨ、ＰＤＳＣＨなどの暗号化（スクランブリング）に用いられる。上位層処理部１０２は、前記ＲＮＴＩを、制御部１０４／送信部１０６／受信部１１２に出力する。
【００４９】
上位層処理部１０２は、ＰＤＳＣＨに配置される下りリンクデータ（トランスポートブロック、DL-SCH）、端末装置固有のシステムインフォメーション（System Information Block: SIB）、ＲＲＣメッセージ、ＭＡＣ  ＣＥ、ＤＭＲＳ構成情報がＳＩＢやＭＩＢの
ようなシステム情報や、ＤＣＩで通知されない場合はＤＭＲＳ構成情報などを生成、又は上位ノードから取得し、送信部１０６に出力する。上位層処理部１０２は、端末装置２０の各種設定情報の管理をする。なお、無線リソース制御の機能の一部は、ＭＡＣレイヤや物理レイヤで行われてもよい。
【００５０】
上位層処理部１０２は、端末装置がサポートする機能（UE capability）等、端末装置
に関する情報を端末装置２０（受信部１１２を介して）から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００５１】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００５２】
上位層処理部１０２は、受信部１１２から復号後の上りリンクデータ（ＣＲＣも含む）からDL-SCHを取得する。上位層処理部１０２は、端末装置が送信した前記上りリンクデータに対して誤り検出を行う。例えば、該誤り検出はＭＡＣ層で行われる。
【００５３】
制御部１０４は、上位層処理部１０２／受信部１１２から入力された各種設定情報に基づいて、送信部１０６および受信部１１２の制御を行なう。制御部１０４は、上位層処理部１０２／受信部１１２から入力された設定情報に基づいて、下りリンク制御情報（ＤＣＩ）を生成し、送信部１０６に出力する。例えば制御部１０４は、上位層処理部１０２／受信部１１２から入力されたＤＭＲＳに関する設定情報（ＤＭＲＳ構成１であるかＤＭＲＳ構成２であるか）を考慮して、ＤＭＲＳの周波数配置（ＤＭＲＳ構成１の場合は偶数サ
ブキャリアあるいは奇数サブキャリア、ＤＭＲＳ構成２の場合は第０〜第２のセットのいずれか）を設定し、ＤＣＩを生成する。
【００５４】
制御部１０４は、伝搬路推定部１１２２で測定されたチャネル品質情報（ＣＳＩ  Ｍｅａｓｕｒｅｍｅｎｔ結果）を考慮して、ＰＵＳＣＨのＭＣＳを決定する。制御部１０４は、前記ＰＵＳＣＨのＭＣＳに対応するＭＣＳインデックスを決定する。制御部１０４は、決定したＭＣＳインデックスをアップリンクグラントに含める。
【００５５】
送信部１０６は、上位層処理部１０２／制御部１０４から入力された信号に従って、ＰＢＣＨ、ＰＤＣＣＨ、ＰＤＳＣＨおよび下りリンク参照信号などを生成する。符号化部１０６０は、上位層処理部１０２から入力されたＢＣＨ、ＤＬ−ＳＣＨなどを、予め定められた／上位層処理部１０２が決定した符号化方式を用いて、ブロック符号、畳み込み符号、ターボ符号、ポーラ符号化、ＬＤＰＣ符号などによる符号化（リピティションを含む）を行なう。符号化部１０６０は、制御部１０４から入力された符号化率に基づいて、符号化ビットをパンクチャリングする。変調部１０６２は、符号化部１０６０から入力された符号化ビットをＢＰＳＫ、ＱＰＳＫ、１６ＱＡＭ、６４ＱＡＭ、２５６ＱＡＭ等の予め定められた／制御部１０４から入力された変調方式（変調オーダー）でデータ変調する。該変調オーダーは、制御部１０４で選択された前記ＭＣＳインデックスに基づく。
【００５６】
下りリンク制御信号生成部１０６４は、制御部１０４から入力されたＤＣＩに対してＣＲＣを付加する。下りリンク制御信号生成部１０６４は、前記ＣＲＣに対して、ＲＮＴＩを用いて暗号化（スクランブリング）を行う。さらに、下りリンク制御信号生成部１０６４は、前記ＣＲＣが付加されたＤＣＩに対してＱＰＳＫ変調を行い、ＰＤＣＣＨを生成する。下りリンク参照信号生成部１０６６は、端末装置が既知の系列を下りリンク参照信号として生成する。前記既知の系列は、基地局装置１０を識別するための物理セル識別子などの基に予め定められた規則で求まる。
【００５７】
多重部１０６８は、ＰＤＣＣＨ／下りリンク参照信号／変調部１０６２から入力される各チャネルの変調シンボルを多重する。つまり、多重部１０６８は、ＰＤＣＣＨ／下りリンク参照信号を各チャネルの変調シンボルをリソースエレメントにマッピングする。マッピングするリソースエレメントは、前記制御部１０４から入力される下りリンクスケジューリングによって制御される。リソースエレメントは、１つのＯＦＤＭシンボルと１つのサブキャリアからなる物理リソースの最小単位である。なお、ＭＩＭＯ伝送を行う場合、送信部１０６は符号化部１０６０および変調部１０６２をレイヤ数具備する。この場合、上位層処理部１０２は、各レイヤのトランスポートブロック毎にＭＣＳを設定する。
【００５８】
無線送信部１０７０は、多重された変調シンボルなどを逆高速フーリエ変換（Inverse Fast Fourier Transform: IFFT）してＯＦＤＭシンボルを生成する。無線送信部１０７０は、前記ＯＦＤＭシンボルにサイクリックプレフィックス（cyclic prefix: CP）を付加
してベースバンドのディジタル信号を生成する。さらに、無線送信部１０７０は、前記ディジタル信号をアナログ信号に変換し、フィルタリングにより余分な周波数成分を除去し、搬送周波数にアップコンバートし、電力増幅し、送信アンテナ１０８に出力して送信する。
【００５９】
受信部１１２は、制御部１０４の指示に従って、受信アンテナ１１０を介して端末装置２０からの受信信号を検出（分離、復調、復号）し、復号したデータを上位層処理部１０２／制御部１０４に入力する。無線受信部１１２０は、受信アンテナ１１０を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信
号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
前記周波数領域の信号は、多重分離部１１２４に出力される。
【００６０】
多重分離部１１２４は、制御部１０４から入力される上りリンクのスケジューリングの情報（上りリンクデータチャネル割当て情報など）に基づいて、無線受信部１１２０から入力された信号をＰＵＳＣＨ、ＰＵＣＣＨ及上りリンク参照信号などの信号に分離する。前記分離された上りリンク参照信号は、伝搬路推定部１１２２に入力される。前記分離されたＰＵＳＣＨ、ＰＵＣＣＨは、等化部１１２６に出力する。
【００６１】
伝搬路推定部１１２２は、上りリンク参照信号を用いて、周波数応答（または遅延プロファイル）を推定する。復調用に伝搬路推定された周波数応答結果は、等化部１１２６へ入力される。伝搬路推定部１１２２は、上りリンク参照信号を用いて、上りリンクのチャネル状況の測定（RSRP(Reference Signal Received Power)、RSRQ(Reference Signal Received Quality)、RSSI(Received Signal Strength Indicator)の測定）を行う。上りリンクのチャネル状況の測定は、ＰＵＳＣＨのためのＭＣＳの決定などに用いられる。
【００６２】
等化部１１２６は、伝搬路推定部１１２２より入力された周波数応答より伝搬路での影響を補償する処理を行う。補償の方法としては、ＭＭＳＥ重みやＭＲＣ重みを乗算する方法や、ＭＬＤを適用する方法等、既存のいかなる伝搬路補償も適用することができる。復調部１１２８は、予め決められている／制御部１０４から指示される変調方式の情報に基づき、復調処理を行う。
【００６３】
復号部１１３０は、予め決められている符号化率／制御部１０４から指示される符号化率の情報に基づいて、前記復調部の出力信号に対して復号処理を行う。復号部１１３０は、復号後のデータ（UL-SCHなど）を上位層処理部１０２に入力する。
【００６４】
図３は、本実施形態における端末装置２０の構成を示す概略ブロック図である。端末装置２０は、上位層処理部（上位層処理ステップ）２０２、制御部（制御ステップ）２０４、送信部（送信ステップ）２０６、送信アンテナ２０８、受信アンテナ２１０および受信部（受信ステップ）２１２を含んで構成される。
【００６５】
上位層処理部２０２は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０２は、自端末装置の各種設定情報の管理をする。上位層処理部２０２は、自端末装置がサポートしている端末装置の機能を示す情報（UE Capability
）を、送信部２０６を介して、基地局装置１０へ通知する。上位層処理部２０２は、UE CapabilityをＲＲＣシグナリングで通知する。
【００６６】
上位層処理部２０２は、ＤＬ−ＳＣＨ、ＢＣＨなどの復号後のデータを受信部２１２から取得する。上位層処理部２０２は、前記ＤＬ−ＳＣＨの誤り検出結果から、ＨＡＲＱ−ＡＣＫを生成する。上位層処理部２０２は、ＳＲを生成する。上位層処理部２０２は、ＨＡＲＱ−ＡＣＫ／ＳＲ／ＣＳＩ（ＣＱＩレポートを含む）を含むＵＣＩを生成する。また上位層処理部２０２は、ＤＭＲＳ構成情報が上位レイヤによって通知されている場合、ＤＭＲＳ構成に関する情報を制御部２０４に入力する。上位層処理部２０２は、前記ＵＣＩやＵＬ−ＳＣＨを送信部２０６に入力する。なお、上位層処理部２０２の機能の一部は、制御部２０４に含めてもよい。
【００６７】
制御部２０４は、受信部２１２を介して受信した下りリンク制御情報（ＤＣＩ）を解釈
する。制御部２０４は、上りリンク送信のためのＤＣＩから取得したＰＵＳＣＨのスケジューリング／ＭＣＳインデックス／ＴＰＣ（Transmission Power Control）などに従って、送信部２０６を制御する。制御部２０４は、下りリンク送信のためのＤＣＩから取得したＰＤＳＣＨのスケジューリング／ＭＣＳインデックスなどに従って、受信部２１２を制御する。さらに制御部２０４は、下りリンク送信のためのＤＣＩに含まれるＤＭＲＳの周波数配置（ポート番号）に関する情報と、上位層処理部２０２から入力されるＤＭＲＳ構成情報にしたがって、ＤＭＲＳの周波数配置を特定する。
【００６８】
送信部２０６は、符号化部（符号化ステップ）２０６０、変調部（変調ステップ）２０６２、上りリンク参照信号生成部（上りリンク参照信号生成ステップ）２０６４、上りリンク制御信号生成部（上りリンク制御信号生成ステップ）２０６６、多重部（多重ステップ）２０６８、無線送信部（無線送信ステップ）２０７０を含んで構成される。
【００６９】
符号化部２０６０は、制御部２０４の制御に従って（ＭＣＳインデックスに基づいて算出される符号化率に従って）、上位層処理部２０２から入力された上りリンクデータ（UL-SCH）を畳み込み符号化、ブロック符号化、ターボ符号化等の符号化を行う。
【００７０】
変調部２０６２は、ＢＰＳＫ、ＱＰＳＫ、１６ＱＡＭ、６４ＱＡＭ、２５６ＱＡＭ等の制御部２０４から指示された変調方式／チャネル毎に予め定められた変調方式で、符号化部２０６０から入力された符号化ビットを変調する（ＰＵＳＣＨのための変調シンボルを生成する）。
【００７１】
上りリンク参照信号生成部２０６４は、制御部２０４の指示に従って、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値、さらに周波数配置などを基に、予め定められた規則（式）で求まる系列を生成する。
【００７２】
上りリンク制御信号生成部２０６６は、制御部２０４の指示に従って、ＵＣＩを符号化、ＢＰＳＫ／ＱＰＳＫ変調を行い、ＰＵＣＣＨのための変調シンボルを生成する。
【００７３】
ここでＲｅｌ．１５の周波数ホッピングについて説明を行う。端末装置は、スケジュールあるいは設定されたＰＵＳＣＨ送信の周波数ホッピングについて、ＰＵＳＣＨ送信用のＲＲＣシグナリングあるいはコンフィギュアドグラントスケジューリング用のＲＲＣシグナリングの中で与えられる、周波数ホッピングに関する上位層パラメータによって設定される。次の２つの周波数ホッピングモードが設定されうる。１つは、スロット内（Intra-slot）周波数ホッピングであり、シングルスロットあるいはマルチスロットＰＵＳＣＨ送信に適用可能である。もう１つは、スロット間（Inter-slot）周波数ホッピングであり、マルチスロットＰＵＳＣＨ送信に適用可能である。リソースアロケーションタイプ１の場合、つまり周波数領域で連続的なＲＢを用いる割り当てタイプの場合、ＰＵＳＣＨ送信に関してトランスフォームプリコーディングが有効かどうかに依らず、もし対応する検出されたＤＣＩフォーマット、あるいはランダムアクセスレスポンスアップリンクグラントの中の周波数ホッピングフィールドが１にセットされた場合、もしくはコンフィギュアドグラントを用いたタイプ１ＰＵＳＣＨ送信について、周波数ホッピングオフセットに関する上位レイヤパラメータが与えられた場合は、端末装置はＰＵＳＣＨの周波数ホッピングを行うかもしれない。もしそうでなければ、ＰＵＳＣＨ周波数ホッピングは適用されない。
【００７４】
ＤＣＩフォーマット０＿０あるいは０＿１によってスケジュールされたＰＵＳＣＨ、あるいはタイプ２コンフィギュアドＵＬグラントに基づいたＰＵＳＣＨ、かつリソースアロケーションタイプ１について、周波数オフセットはＰＵＳＣＨ送信用のＲＲＣシグナリン
グの中の周波数ホッピングオフセットリストについての上位層パラメータによって設定される。アクティブなＢＷＰのサイズが５０ＲＢより少ない場合、上位層が設定する２つのオフセットの内の１つがＵＬグラントの中で指定される。アクティブなＢＷＰのサイズが５０ＲＢと等しい、あるいは大きい場合、上位層が設定する４つのオフセットの内の１つがＵＬグラントの中で指定される。
【００７５】
タイプ１コンフィギュアドＵＬグラントに基づいたＰＵＳＣＨについて、周波数オフセットはコンフィギュアドグラントスケジューリング用のＲＲＣシグナリングの中の周波数ホッピングオフセットに関する上位層パラメータで与えられる。第１のホップでの開始ＲＢはＲＢｓｔａｒｔで与えられ、第２のホップでの開始ＲＢは（ＲＢｓｔａｒｔ＋ＲＢｏｆｆｓｅｔ）ｍｏｄ  ＮＢＷＰで与えられる。ここで、ＲＢｓｔａｒｔはリソースアロケーションタイプ１のリソースブロック割り当て情報から計算される、ＵＬ  ＢＷＰ内の開始ＲＢであり、ＲＢｏｆｆｓｅｔは二つの周波数ホップ間のＲＢの周波数オフセットである。またＮＢＷＰは、ＢＷＰを構成するＲＢ数であり、ＢＷＰ内のＲＢ数を表す。
【００７６】
スロット内周波数ホッピングが適用された場合、第１のホップのシンボル数は、Ｎ／２を超えない最大の整数で与えられ、第２のホップのシンボル数は、ＮからＮ／２を超えない最大の整数を減算した値で与えられる。ここでＮは１スロット内のＯＦＤＭシンボルでのＰＵＳＣＨ伝送の長さである。
【００７７】
スロット間周波数ホッピングの場合、スロットｎ内での開始ＲＢは次のように与えられる。ｎ  ｍｏｄ  ２＝０を満たすとき、つまりスロット番号が偶数のとき、開始ＲＢはＲＢｓｔａｒｔとなり、ｎ  ｍｏｄ  ２＝１を満たすとき、つまりスロット番号が奇数のとき、開始ＲＢは（ＲＢｓｔａｒｔ＋ＲＢｏｆｆｓｅｔ）ｍｏｄ  ＮＢＷＰとなる。ここでｎは１無線フレーム内の現在のスロット番号であり、マルチスロットＰＵＳＣＨ伝送が適用され、ＲＢｓｔａｒｔはリソースアロケーションタイプ１のリソースブロック割り当て情報から計算される、ＵＬ  ＢＷＰ内の開始ＲＢであり、ＲＢｏｆｆｓｅｔは二つの周波数ホップ間のＲＢの周波数オフセットである。
【００７８】
多重部２０６８は、制御部２０４からの上りリンクスケジューリング情報（ＲＲＣメッセージに含まれる上りリンクのためのＣＳ(Configured Scheduling)における送信間隔、
ＤＣＩに含まれる周波数領域および時間領域リソース割り当てなど）に従って、ＰＵＳＣＨのための変調シンボル、ＰＵＣＣＨのための変調シンボル、上りリンク参照信号を送信アンテナポート（ＤＭＲＳポート）毎に多重する（つまり、各信号はリソースエレメントにマップされる）。
【００７９】
ここで、ＣＳ（configured scheduling、コンフィギュアドグラントスケジューリング
）に関して説明を行う。ダイナミックグラントなしの伝送には2種類ある。１つは、ＲＲ
Ｃによって与えられ、configured grantとして保存されるconfigured grantタイプ1であ
り、１つは、PDCCHによって与えられ、configured grantアクティベーションあるいはデ
アクティベーションを示すＬ１シグナリングに基づいたconfigured grantとして保存およびクリアされるconfigured grantタイプ２である。タイプ１とタイプ２はサービングセル毎かつＢＷＰ毎にＲＲＣで設定される。複数の設定は、異なるサービングセルにおいてのみ同時にアクティブになり得る。タイプ２に関して、アクティベーションとデアクティベーションは、サービングセル間で独立である。同じサービングセルに関して、ＭＡＣエンティティはタイプ１あるいはタイプ２のどちらかで設定される。タイプ１が設定された時、ＲＲＣは次のパラメータを設定する。
・cs-RNTI：  再送のためのＣＳ−ＲＮＴＩ
・periodicity：  configured grantタイプ１の周期
・timeDomainOffset：  時間領域におけるＳＦＮ＝０に関するリソースのオフセット
・timeDomainAllocation：  パラメータstartSymbolAndLengthを含む、時間領域におけるconfigured grantの配置
・nrofHARQ-Processes：  ＨＡＲＱプロセスの数
また、タイプ２が設定された時、ＲＲＣは次のパラメータを設定する。
・cs-RNTI：  アクティベーション、デアクティベーション、再送のためのＣＳ−ＲＮＴ
Ｉ
・periodicity：  configured grantタイプ２の周期
・nrofHARQ-Processes：  ＨＡＲＱプロセスの数
つまりConfiguredGrantConfigは、2つの方式にしたがって、ダイナミックグラントなしでアップリンク伝送を設定するために用いられる。実際のアップリンクグラントは、Configured Grantタイプ１では、ＲＲＣ経由で設定され、Configured Grantタイプ２では、ＣＳ−ＲＮＴＩで処理されたＰＤＣＣＨ経由で与えられる。
【００８０】
上位層で設定されるパラメータｒｅｐＫは、送信されたトランスポートブロックに適用される繰り返し数が定義される。repK-RVは、繰り返しに適用されるリダンダンシーバー
ジョンパターンを示す。Ｋ回繰り返し中のｎ回目の送信機会に関して、設定されるＲＶ系列（リダンダンシーバージョンパターン）の中の（ｍｏｄ（ｎ−１、４）＋１）番目の値に関連付けられた伝送が行われる。また一つのトランスポートブロックの初送は、設定されるＲＶ系列が｛０、２、３、１｝の場合、Ｋ回繰り返しの最初の送信機会で開始される。設定されるＲＶ系列が｛０、３、０、３｝の場合、ＲＶ＝０と関連付けられたＫ回繰り返しのいずれかの送信機会で開始される。設定されるＲＶ系列が｛０、０、０、０｝の場合、Ｋ＝８の時の最後の送信機会を除く、Ｋ回繰り返しのいずれかの送信機会で開始される。いずれのＲＶ系列に関しても、繰り返しはＫ回繰り返し送信後、あるいは周期Ｐ内のＫ回繰り返し中の最後の送信機会、あるいは周期Ｐ内に同じトランスポートブロックをスケジューリングするためのアップリンクグラントを受信した時のいずれかに初めに達した場合に終端される。端末装置は、周期Ｐによって算出される時間期間よりも長いＫ回繰り返し送信に関する時間期間が設定されることを期待しない。コンフィギュアドグラントによるタイプ１およびタイプ２ＰＵＳＣＨ送信両方について、端末装置がｒｅｐＫ＞１と設定された時、端末装置はそのトランスポートブロックをｒｅｐＫの連続するスロットに渡って繰り返す。この時、端末装置は各スロットで同じシンボル配置を適用する。もしスロット構成の決定に関する端末装置のプロシージャが、配置されたスロットのシンボルをダウンリンクシンボルとして判断（決定）する場合、そのスロットにおける送信は複数スロットのＰＵＳＣＨ送信に関し省略される。repKが設定された場合、値として1回、２回、４回、８回のいずれかを設定可能である。ただし、ＲＲＣパラメータ自体が存在しない場合、繰り返し数は１として送信を行う。またrepK-RVは、｛０、２、３、１｝、｛０、３、０、３｝、｛０、０、０、０｝のいずれかが設定され得る。なお、同一のトランスポートブロックから生成される異なるリダンダンシーバージョンの信号は、同一のトランスポートブロック（情報ビット系列）から構成される信号であるが、構成される符号化ビットの少なくとも一部が異なる。
【００８１】
Ｒｅｌ．１５では１スロットに１つのデータ信号（ＰＵＳＣＨ）を配置することが仕様化されており、繰り返し送信では複数スロットに渡って繰り返し送信を行うことが仕様化されているが、Ｒｅｌ．１６では、１スロット内で複数回ＰＵＳＣＨ送信を繰り返し送信することが検討されている。ＲＶ系列が｛０、０、０、０｝の場合、１スロット内で送信開始機会を複数回設定することができる。例えば図４において点線は１スロットを示しており、１スロット内で２回の繰り返し送信が行われ、２スロットを用いて、合計４回の繰り返し送信を行うことを考える。ここで１スロット内での繰り返し数を行う場合、１スロット内での繰り返しの適用に関するＲＲＣシグナリングが設定されているものとする。ＲＲＣシグナリングは単に適用に関するシグナリングではなく、１スロット内での繰り返し数、あるいは１スロット内での１つのＰＵＳＣＨに用いられるＯＦＤＭシンボル数、スロットの分割数等を示すシグナリングであってもよい。スロット内ホッピングが設定された場合、第一のホップのシンボル数は、Ｎ／２を超えない最大の整数で与えられ、第二のホップのシンボル数は、ＮからＮ／２を超えない最大の整数を引いた数で与えられる。ここでＮは、１スロット内のＯＦＤＭシンボル中の１繰り返しあたりのＰＵＳＣＨ伝送の長さであってもよいし、１スロット内のＯＦＤＭシンボル中の全繰り返しを考慮したＰＵＳＣＨ伝送の長さであってもよい。Ｎが１繰り返しあたりのＰＵＳＣＨ伝送の長さの場合、図５のようなスロット構成となる。この時、１つのＰＵＳＣＨ（トランスポートブロック）が連続しない複数ＲＢを用いて送信されるため、繰り返し送信（ＰＵＳＣＨ送信）毎に周波数ダイバーシチ効果を得ることができる。一方、Ｎが１スロット内のＯＦＤＭシンボル中の全繰り返しを考慮したＰＵＳＣＨ伝送の長さの場合、図６のようなスロット構成となる。この時、１つのＰＵＳＣＨ（トランスポートブロック）はホッピングが適用されることなく伝送される。スロット間ホッピングが設定され、かつ１スロット内での繰り返しの適用に関するＲＲＣシグナリングが設定されない場合、Ｒｅｌ．１５の周波数ホッピングと同様、スロットｎにおける開始リソースブロックはスロット間周波数ホッピングで与えられる。ここでｎは、１無線フレーム内の現在のスロット番号であり、マルチスロットＰＵＳＣＨ伝送が行われる場合に限られる。ＲＢｓｔａｒｔは、アンプリングＢＷＰ（Band Width Part）内の開始ＲＢであり、リソースアロケーションタイプ１のリソースブロック割り当て情報から計算され、ＲＢｏｆｆｓｅｔは、２つの周波数ホップ間のＲＢの周波数オフセットである。一方、スロット間ホッピングが設定され、かつ１スロット内での繰り返しの適用に関するＲＲＣシグナリングが設定される場合、繰り返しｋにおける開始リソースブロックは次のように与えられる。ｋ  ｍｏｄ  ２＝０を満たすとき、つまりスロット番号が偶数のとき、開始ＲＢはＲＢｓｔａｒｔとなり、ｋ  ｍｏｄ  ２＝１を満たすとき、つまりスロット番号が奇数のとき、開始ＲＢは（ＲＢｓｔａｒｔ＋ＲＢｏｆｆｓｅｔ）ｍｏｄ  ＮＢＷＰとなる。ここでｋは、ＲＲＣシグナリングあるいはＤＣＩで指定される繰り返し送信回数��ｅｐＫ内の繰り返し数である。この場合、図７のようにホッピングが適用される。つまり、スロット間周波数ホッピングが設定されるにもかかわらず、他のＲＲＣシグナリングの設定次第では、スロット間で周波数ホッピングを行わない。これは図６のようにスロット内で複数回の繰り返し送信を行うにもかかわらずスロット間で周波数ホッピングを行う場合、複数の繰り返しで連続して同じＲＢで送信を行うため、連続する繰り返し送信で周波数ダイバーシチ効果が得られないことがあるためである。本発明ではこれを避けるため、スロット間周波数ホッピングが設定されるにもかかわらず、繰り返し毎にＰＵＳＣＨ送信のＲＢにオフセットを与えて送信を行う。これにより、複数の繰り返し送信で連続して同じＲＢで送信しなくなるため、スロット内で繰り返し送信を行う場合に、伝送特性を大幅に改善することができる。
【００８２】
なお、上記では繰り返し送信回数ｋとしたが、実際に送信を行った数ではなく、システム上見なされる送信回数であってもよい。例えば４回の繰り返し送信が認められ、何らかの理由によって最初の２回の送信を端末装置が行わなかった場合、繰り返し送信回数ｋは３から始まってもよい。（１ではなく０から送信回数を数える場合は、３ではなく２となる）。これにより、送信をスキップした場合においても、基地局装置と端末装置で周波数ホッピングパターンを共有することができる。
【００８３】
スロット内で繰り返し送信を行う場合のホッピングは必ずしも上記のように定義される必要はない。例えば、現在の繰り返し数だけではなく、現在の繰り返し数と１無線フレーム内の現在のスロット番号によって定義されてもよい。
【００８４】
上記では周波数ホッピングに関するＲＲＣパラメータは、スロット間周波数ホッピングあるいはスロット内周波数ホッピングが設定されるとしたが、これに限られず第３のパラメータが設定されてもよい。つまり繰り返し送信（ミニスロット）間でのホッピングを指定するパラメータが設定されてもよい。
【００８５】
また１スロット内の繰り返し数が１または偶数でない場合、図８のように一部のＰＵＳＣＨのみ、スロット内ホッピングが適用される可能性がある。これを避けるため、基地局は１スロット内の繰り返し送信数を１または偶数回に制限してもよい。これにより特定のＰＵＳＣＨ（繰り返し送信）のみでスロット内周波数ホッピングが適用されることを防ぐことができる。あるいは、１スロット内の繰り返し送信時に、繰り返し単位を構成するＯＦＤＭシンボル数に制限を加えてもよい。これはＲＲＣパラメータを制限することによって達成される。
【００８６】
無線送信部２０７０は、多重された信号をＩＦＦＴ（Inverse Fast Fourier Transform）して、ＯＦＤＭシンボルを生成する。無線送信部２０７０は、前記ＯＦＤＭシンボルにＣＰを付加し、ベースバンドのディジタル信号を生成する。さらに、無線送信部２０７０は、前記ベースバンドのディジタル信号をアナログ信号に変換し、余分な周波数成分を除去し、アップコンバートにより搬送周波数に変換し、電力増幅し、送信アンテナ２０８を介して基地局装置１０に送信する。
【００８７】
受信部２１２は、無線受信部（無線受信ステップ）２１２０、多重分離部（多重分離ステップ）２１２２、伝搬路推定部（伝搬路推定ステップ）２１４４、等化部（等化ステップ）２１２６、復調部（復調ステップ）２１２８、復号部（復号ステップ）２１３０を含んで構成される。
【００８８】
無線受信部２１２０は、受信アンテナ２１０を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２１２０は、変換したディジタル信号からＣＰに相当する部分を除去し、ＣＰを除去した信号に対してＦＦＴを行い、周波数領域の信号を抽出する。
【００８９】
多重分離部２１２２は、前記抽出した周波数領域の信号を下りリンク参照信号、ＰＤＣＣＨ、ＰＤＳＣＨ、ＰＢＣＨに分離する。伝搬路推定部２１２４は、下りリンク参照信号（ＤＭ−ＲＳなど）を用いて、周波数応答（または遅延プロファイル）を推定する。復調用に伝搬路推定された周波数応答結果は、等化部１１２６へ入力される。伝搬路推定部２１２４は、下りリンク参照信号（ＣＳＩ−ＲＳなど）を用いて、上りリンクのチャネル状況の測定（RSRP(Reference Signal Received Power)、RSRQ(Reference Signal Received Quality)、RSSI(Received Signal Strength Indicator)、SINR(Signal to Interference plus Noise power Ratio）の測定)を行う。下りリンクのチャネル状況の測定は、ＰＵＳＣＨのためのＭＣＳの決定などに用いられる。下りリンクのチャネル状況の測定結果は、ＣＱＩインデックスの決定などに用いられる。
【００９０】
等化部２１２６は、伝搬路推定部２１２４より入力された周波数応答よりＭＭＳＥ規範に基づく等化重みを生成する。等化部２１２６は、多重分離部２１２２からの入力信号（ＰＵＣＣＨ、ＰＤＳＣＨ、ＰＢＣＨなど）に該等化重みを乗算する。復調部２１２８は、予め決められている／制御部２０４から指示される変調オーダーの情報に基づき、復調処理を行う。
【００９１】
復号部２１３０は、予め決められている符号化率／制御部２０４から指示される符号化率の情報に基づいて、前記復調部２１２８の出力信号に対して復号処理を行う。復号部２１３０は、復号後のデータ（DL-SCHなど）を上位層処理部２０２に入力する。
【００９２】
本発明に関わる装置で動作するプログラムは、本発明に関わる上述した実施形態の機能
を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００９３】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【００９４】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００９６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００９７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００９８】
本発明は、基地局装置、端末装置および通信方法に用いて好適である。
【符号の説明】
【００９９】
１０  基地局装置
２０  端末装置
１０ａ  基地局装置１０が端末装置と接続可能な範囲
１０２  上位層処理部
１０４  制御部
１０６  送信部
１０８  送信アンテナ
１１０  受信アンテナ
１１２  受信部
１０６０  符号化部
１０６２  変調部
１０６４  下りリンク制御信号生成部
１０６６  下りリンク参照信号生成部
１０６８  多重部
１０７０  無線送信部
１１２０  無線受信部
１１２２  伝搬路推定部
１１２４  多重分離部
１１２６  等化部
１１２８  復調部
１１３０  復号部
２０２  上位層処理部
２０４  制御部
２０６  送信部
２０８  送信アンテナ
２１０  受信アンテナ
２１２  受信部
２０６０  符号化部
２０６２  変調部
２０６４  上りリンク参照信号生成部
２０６６  上りリンク制御信号生成部
２０６８  多重部
２０７０  無線送信部
２１２０  無線受信部
２１２２  多重分離部
２１２４  伝搬路推定部
２１２６  等化部
２１２８  復調部
２１３０  復号部
【図１】
2020108103.tif 000003
【図２】
2020108103.tif 000004
【図３】
2020108103.tif 000005
【図４】
2020108103.tif 000006
【図５】
2020108103.tif 000007
【図６】
2020108103.tif 000008
【図７】
2020108103.tif 000009
【図８】
2020108103.tif 000010